(57)【要約】【課題】ユニバーサルデザインの観点から電子機器のユーザビリティの向上を図るために、健常者だけでなく視聴覚障害者も自分が意図した通りに電子機器が作動しているかどうか認識でき、かつ操作を容易に行うことができる電子機器を提供すること。【解決手段】電子機器に入力された命令が実行されたことを音または音声のうち少なくとも１つで報知する報知手段を電子機器に備える。これにより、視覚障害者であっても、電子機器が自分が意図した通りに作動しているかどうかを認識することができるので、電子機器を容易に操作することができる。【選択図】  図１
2004254006.tif 000002
【特許請求の範囲】
【請求項１】
複数の入力形態で命令を受け付けることが可能なイベント処理手段と、
上記イベント処理手段にて受け付けられた命令に基づいて命令を実行する実行手段と、
所定の入力形態で上記イベント処理手段にて受け付けられた上記命令を上記実行手段が実行したことを音または音声のうち少なくとも１つで報知する報知手段とを備えたことを特徴とする電子機器。
【請求項２】
上記命令が、作動状態を設定する設定モードを起動するための起動指示、または上記設定モードを終了するための終了指示であり、
上記実行手段が、上記起動指示を受け付けると上記設定モードを起動し、上記終了指示を受け付けると上記設定モードを終了し、
上記報知手段が、上記実行手段が上記設定モードを起動または終了したことを報知する請求項１に記載の電子機器。
【請求項３】
実行手段が、階層移行手段と、階層内処理手段とから構成され
上記設定モードが、階層構造を有し、
上記実行手段が、所定階層の設定モードの起動中に他階層の設定モードの起動指示を上記イベント処理手段が受け付けると、当該他階層の設定モードを起動し、
上記報知手段が、上記実行手段が他階層の設定モードを起動したことを報知する請求項２に記載の電子機器。
【請求項４】
上記他階層の設定モードが、上記所定階層の設定モードに対して上位階層の設定モードまたは下位階層の設定モードであり、
上記報知手段が、上位階層の設定モードが起動された場合と、下位階層の設定モードが起動された場合の報知形態を異にする請求項３に記載の電子機器。
【請求項５】
上記報知手段が、上記起動指示または終了指示により上記設定モードが起動または終了されたときと、他階層の設定モードの起動指示により他階層の設定モードが起動されたときの報知形態を異にする請求項３に記載の電子機器。
【請求項６】
上記報知手段が、上記起動指示により上記設定モードを起動した場合と、上記終了指示により上記設定モードを終了した場合とで報知形態を異にする請求項２または５に記載の電子機器。
【請求項７】
上記他階層の設定モードが、起動中の設定モードと複数階層異なる設定モードであり、
上記報知手段が、上記他階層の設定モードが起動されると、当該他階層の設定モードが起動されたことと共に当該他階層の設定モードと上記起動中の設定モードとの階層数の差を報知する請求項３または４に記載の電子機器。
【請求項８】
上記設定モードが、複数の副設定モードから構成されており、
上記実行手段が、所定の副設定モードの起動中にユーザからの他の副設定モードの起動指示を上記イベント処理部が受け付けると、上記他の副設定モードを起動し、
上記報知手段は、上記実行手段が上記他の副設定モードを起動したことを報知する請求項２に記載の電子機器。
【請求項９】
上記報知手段が、所定階層の設定モードが上記実行手段にて起動されると、当該設定モードと、当該設定モードの上位階層の設定モードを特定する音または音声のうち少なくとも１つを報知する請求項３に記載の電子機器。
【請求項１０】
上記報知手段が、上記実行手段の上記命令の実行状況を音または音声の少なくとも１つで報知する請求項１に記載の電子機器。
【発明の詳細な説明】
【０００１】
【発明の属する技術分野】
本発明は、ＴＶやラジオ、ラジカセ、エアコン、冷蔵庫、ＤＶＤ記録再生装置などの電気製品や携帯電話、ＰＤＡ、パーソナルコンピューター等の情報機器、コピー機、ＦＡＸ等の事務機器等であってスピーカを備えた電子機器に関し、特に操作案内を音声にてガイダンスする電子機器に関する。
【０００２】
【従来の技術】
近年のデジタル技術及びネットワーク技術の進歩により家電製品の多機能化が進んでいる。例えばテレビにおいては、ＥＰＧ（Ｅｌｅｃｔｒｏｎｉｃ  Ｐｒｏｇｒａｍ  Ｇｕｉｄｅ）等を利用した録画予約や、現在放送されている番組の検索等を行うことができるようになっている。
【０００３】
このようなテレビにおいては、ユーザが例えばリモコンのメニューキーを押下すると、テレビ画面に図６に示す番組ナビ画面が表示される。この番組ナビ画面は、図６に示すように番組表項目５０１、裏番組項目５０２、ジャンル検索項目５０３、プログラム予約項目５０４、予約一覧項目５０５、インフォメーション項目５０６と、ポインタ５２１と、十字キー等の操作部が表示される。
【０００４】
例えば録画予約をするときは、ユーザは、番組ナビ画面を見て、ジャンル検索項目５０３にリモコンの十字キーを用いてポインタ５２１を移動させて、リモコンの決定キーを押下する。
【０００５】
決定キーが押下されると、テレビ画面には、図７に示すジャンル検索画面が表示される。図７に示すようにジャンル検索画面には、ニュース・報道項目６０１、スポーツ項目６０２、教養・娯楽項目６０３、ドラマ項目６０４、音楽項目６０５、バラエティー項目６０６、映画項目６０７、アニメ・特撮項目６０８、その他項目６０９と、ポインタ６２１と、十字キー等の操作部が表示される。ジャンル検索画面が表示されると、ユーザは、所望のジャンルにポインタ６２１を移動させて決定キーを押下すると、テレビ画面に指定されたジャンルのテレビ番組の一覧が表示され、ユーザは、所望の番組を指定する。テレビは、ここで指定された番組の録画を行う。
【０００６】
【特許文献１】
特開平０５−４０５８９号公報
【特許文献２】
特開平０８−１６６８６７号公報
【特許文献３】
特開平０６−２９５２２８号公報
【０００７】
【発明が解決しようとする課題】
ユーザが健常者である場合、ユーザは、モニタに表示された画面の変化等を見て、自分が意図した通りにテレビが作動しているかどうかを把握することができる。しかし、テレビのユーザは、健常者だけでなく弱視者、全盲者、視力の衰えた高齢者（白内障）等の視覚障害者である場合もある。このような視覚障害者であっても、番組の音声を聞くことで番組を楽しむことができるので、視覚障害者が番組の録画予約をする場合も考えられる。ところがユーザが視覚障害者である場合、視覚障害者は、モニタに表示された画面の変化等を見て、自分が意図した通りにテレビが作動したかどうかを認識することができず、そのためテレビを操作することができない。
【０００８】
そこで本発明は、ユニバーサルデザインの観点から電子機器のユーザビリティの向上を図るために、健常者だけでなく視覚障害者も自分が意図した通りに電子機器が作動しているかどうか認識できかつ操作を容易に行うことができる電子機器を提供することを目的とする。
【０００９】
【課題を解決するための手段】
本発明の電子機器は、複数の入力形態でユーザからの命令を受け付けることが可能なイベント処理手段と、上記イベント処理手段にて受け付けられた命令に基づいて命令を実行する実行手段と、所定の入力形態で上記イベント処理手段にて受け付けられた上記命令を上記実行手段が実行したことを音または音声のうち少なくとも１つで報知する報知手段とを備える。
【００１０】
報知手段が、所定の入力形態の命令が受け付けられた場合、命令が受け付けられたことを音や音声で報知することにより、視覚障害者であっても所定の形態で命令を出すことで命令が電子機器にて受け付けられたかどうか認識することができる。
【００１１】
上記所定の形態とは、視覚障害者が電子機器の操作によく利用する音声や、リモコンの操作等である。
【００１２】
【発明の実施の形態】
（実施の形態１）
（機器構成の説明）
本発明の電子機器は、デジタルＴＶ、コピー機、ＦＡＸ、エアコン、パソコン、カーナビゲーション等電気製品や携帯電話、ＰＤＡ（Ｐｅｒｓｏｎａｌ  Ｄｉｇｉｔａｌ  Ａｓｓｉｓｔａｎｔｓ）等のモバイル機器等である。以下では、電子機器がデジタルＴＶ１００である場合について説明する。
【００１３】
図１に示す上記デジタルＴＶ１００は、ＥＰＧを用いてユーザに録画予約の機能を提供することが可能である。デジタルＴＶ１００は、放送またはインターネット等にて送信される番組データとＥＰＧを、デジタルＴＶ１００に備えられた受信手段１０７にて受信する。当該受信手段１０７は受信した番組データを実行手段１０５の録画再生手段１５３に、ＥＰＧをＥＰＧ記憶手段１０８に転送する。上記録画再生手段１５３は、番組データが転送されると、当該番組データに基づいて番組をモニタ１０３及び報知手段となるスピーカ１０４を用いて再生し、さらに、上記録画再生手段１５３は、転送された番組データが、録画予約された番組の番組データである場合、当該番組を記録媒体１１０に録画する。
【００１４】
上記ＥＰＧとは、図２に示すように番組の放送チャネル２０１、放送日時２０２、番組名２０３等の番組に関する情報である。
【００１５】
ユーザは、基本的には図３に示すリモコン３００にてデジタルＴＶ１００を操作する。十字キー３０１や決定キー３０２等のリモコン３００に設けられたキーが押下されると、押下されたキーの種類がデジタルＴＶ１００に備えられたイベント処理手段１０２に送信される。
【００１６】
視覚障害者がリモコン操作を行うためには、リモコン３００の各キーの位置と操作内容の対応関係を記憶する必要があり、リモコン３００でデジタルＴＶ１００を操作することは必ずしも容易でない。そこで、デジタルＴＶ１００は、リモコン３００だけでなく音声によっても操作されるようになっている。
【００１７】
ユーザが発した音声は、デジタルＴＶ１００に備えられた音声変換手段１０１にて受信され、当該音声変換手段１０１にて、音声に対応する電気信号に変換されて上記イベント処理手段１０２に転送される。
【００１８】
（具体的な操作の説明）
ここでは、テレビ番組が画面に映し出されているときに視覚障害者が、サッカーの試合を録画予約する場合を想定して、以下、詳細に動作を説明する。
【００１９】
視覚障害者が発した設定モードの起動指示としての「番組ナビ」は、上記音声変換手段１０１にて電気信号に変換されて上記イベント処理手段１０２に転送される。また「番組ナビ」を発することに代えて視覚障害者が、リモコン３００のメニューキー３０３を押下した場合、当該メニューキー３０３が押下された旨はリモコン３００から上記イベント処理手段１０２に送信される。
【００２０】
上記イベント処理手段１０２は、上記音声変換手段１０１から転送される「番組ナビ」、またはリモコン３００から送信されるメニューキー３０３が押下された旨を上記設定モードの起動指示として認識する。そして上記イベント処理手段１０２は、上記起動指示と共に、ユーザからの指示を上記音声変換手段１０１を介して受信したのか、リモコン３００から直接受信したかを上記実行手段１０５の階層移行手段１５１に転送する（図５、Ｓ５３１）。
【００２１】
上記起動指示とユーザからの指示の経路が転送されると、上記階層移行手段１５１は、図４に示す階層構造を有する上記設定モードの最上位階層の番組ナビモードＡを起動させる（図５、Ｓ５０１）。番組ナビモードＡを起動させると、上記階層移行手段１５１は、階層内処理手段１５２に番組ナビモードＡにおける処理を実行させる。
【００２２】
まず、上記階層内処理手段１５２は、番組ナビモードＡが起動すると、モニタ１０３に図６に示す番組ナビ画面を表示する。番組ナビ画面には、図６に示すように番組表項目５０１、裏番組項目５０２、ジャンル検索項目５０３、プログラム予約項目５０４、予約一覧項目５０５、インフォメーション項目５０６と、ポインタ５２１と、十字キー等３０１の操作部が表示され、ユーザは次にすべきことを視覚情報のみから得ることができる。
【００２３】
ユーザが健常者である場合、ユーザは番組ナビ画面を見れば、次に操作すべきこととして、ポインタ５２１を所望の項目へ十字キー３０１を用いて移動させて決定キー３０２を押下して項目を指定することであると判断できる。
【００２４】
しかし、ユーザが視覚障害者である場合は、ユーザは番組ナビ画面を見ることができないので、番組ナビが実際に起動しているのかどうかや、次にどんな操作をしてよいのか分からない。
【００２５】
そこでユーザが視覚障害者であるときは、音声でデジタルＴＶ１００を操作する場合が多いことを考慮し、上記階層移行手段１５１は、ユーザからの指示が上記音声変換手段１０１を介して転送された場合、番組ナビモードＡを起動すると共に、番組ナビモードＡが起動したことを示す報知音のデータをスピーカ１０４に転送して、当該報知音をスピーカ１０４から報知する（図５、Ｓ５０２→Ｓ５０３）。この報知音は、例えば「ビーン」等の合成音や、「ピンポン」等のチャイム音等である。設定モードが起動又は終了したときと、メニュー内の階層を移動した場合とで音の種類、例えば周波数、音色、パターン、音量などを変える。メロディ音と報知音の使い分けでもよい。例えば設定モードが起動又は終了した場合は「ピーン」という長音、階層内の移動の場合は「ピンポン」、「ポンピン」などである。
【００２６】
階層を深く進むときには高い音程から低い音程に「ピンポン」、反対に浅く進むとき低い音程から高い音程に「ポンピン」と使い分けることで、ユーザに方向性を印象付け、機器の状態を早く理解することに役立つ。ある程度操作に慣れたユーザにとっては、いちいち各階層の音声ガイダンスを聞かなくても、ボタンを押す階数と音により目的の階層に到達することができ操作時間を短縮できる。また音声入力によるショートカット（ショートカットの機能については後述する。）を使った場合でも進んだ階層の数だけ報知音がなり、また方向性を表すパターン音により、機器の実行状況を感覚的につかめることができるのでユーザは安心できる。
【００２７】
機器から出る音声と音についてはユーザは自分の好みや操作の学習度合いにより入切の選択ができるよう、機器には入切の切替機能が搭載されている。
【００２８】
上記報知音を聞くことで、ユーザが視覚障害者であっても、番組ナビモードＡが起動したことを認識でき、かつ自分が意図した通りにデジタルＴＶ１００が作動していることを認識することができる。
【００２９】
上記階層移行手段１５１は、上記報知音を報知した場合、上記階層内処理手段１５２に番組ナビモードＡの音声ガイダンスの報知を指示する。
【００３０】
上記指示があると、上記階層内処理手段１５２は、番組ナビ画面をモニタ１０３に表示すると共に、次に何を行うべきかを視覚障害者に認識してもらうための音声ガイダンスのデータをスピーカ１０４に転送して、当該音声ガイダンスをスピーカ１０４から報知する。この音声ガイダンスとは、例えば「番組ナビモードが起動しました。項目を指定してください。」から始まり、番組ナビ画面に表示される各項目の名称（番組表、裏番組、ジャンル検索、プログラム予約、予約一覧、インフォメーション）を順に報知するものである。
【００３１】
上記階層内処理手段１５２は、「番組ナビが起動しました。項目を指定してください。」を報知すると、続いて番組ナビ画面の先頭項目の名称である「番組表」をスピーカ１０４から報知する（図５、Ｓ５０４→Ｓ５０７）。
【００３２】
項目を決定する方法としては、リモコン３００のボタンで入力する方法と音声で入力する方法の両方を備えている。
【００３３】
ある階層内に移動し画面が切り替ったときの機器から出る音声ガイダンスは少なくとも、次の３種類である。何をするための画面なのかを表わすガイダンス、次にその画面でユーザは何をすべきなのか操作を誘導するガイダンス、ユーザが選択できる選択肢を提示するためのガイダンスの３種類である。
【００３４】
例えば番組ナビモードＡに入ったときの音声ガイダンスは、「番組ナビに入りました」「項目を選択してください」、と次に選択肢を提示するためのガイダンスである「番組表」の３種類の音声ガイダンスが出る。このときユーザは、リモコン３００の十字キーを使って画面上の目的の項目にカーソルを合わせて決定ボタンを押して項目を選ぶことができる。通常の視力を有するユーザであれば、この方法にて項目を決定することができるが、視覚障害者にとっては、この方法は困難な場合がある。その場合には、音声によるガイダンスとリモコン３００による項目の決定という方法がとられる。音声によるガイダンスの方法としては、まず始めに画面上の項目を知るために「すべて」などと音声入力することで全項目名を順に機器に読み上げさせるようにし、その後で目的の項目をリモコン３００の決定キー３０２により選択する方法が可能である。また、十字キー３０１を使ってカーソルを画面上の項目間で移動させた場合には、カーソルが位置する項目名が読み上げられるようにすることで、目的の項目が読み上げられた時点でユーザが決定キー３０２を押せば、所定の項目を選択したことになる。全項目を読み上げさせる場合は、機器からは１つの項目が読み上げられてから所定時間（例えば１秒）経過後に次の項目が読み上げられる。そこでユーザは目的の項目が読み上げられている間、もしくは次の項目が読み上げられる前に決定キー３０２を押すことで項目を選択することができる。
【００３５】
また、項目を決定する方法として、音声でガイダンスを行い、音声にて決定など操作を行うことも可能である。
【００３６】
この場合には、まず、操作ガイダンス、選択肢としての選択項目を音声により読み上げ、音声認識により、「決定」、「戻る」などの所定のキーワードが発声されたことが認識された場合には、リモコン３００の操作ボタンを押したのと同様の動作をするようになっている。また目的の項目名を音声入力すれば、その項目が存在する階層であるかどうかに関わらずショートカット機能が働き、途中の階層を飛ばしてその項目を直接選ぶことができる。
【００３７】
なお、音声認識の機能については、デジタルＴＶ１００本体に設けてもよいが、リモコン３００の内部にマイクと音声認識回路を組み込むことにより、ボタン操作を行うと同等の信号を発生するようにしておいてもよい。
【００３８】
ここで、「番組表」が報知されてから、次の項目である「裏番組」が読み上げられる前に、ユーザがデジタルＴＶ１００に向かって「決定」と発声すると、現在報知されている項目である「番組表」が決定される。このように項目の選び方は、項目が提示されたとき（読み上げられたとき）に「決定」と発声することにより行うこともできるが、「決定」と言う代わりに、項目名を発声することで直接選ぶこともできる。項目名を発声するタイミングは、機器側から項目名が提示されてからでなくてもよく、つまり階層のどの段階でも発声してもよい。これにより従来のようにメニュー画面の階層をたどっていかなくても、ダイレクトに項目を選ぶことで、階層途中の操作を飛ばすことができる。
【００３９】
この機能を本明細書では、「ショートカット」と呼ぶ。
【００４０】
また、ユーザが発声することに代えて、リモコン３００の決定キー３０２を押すことによっても決定の操作を行うことができる。
【００４１】
以上のような発声、あるいはリモコンのボタン操作により「決定」の動作を受信すると、上記イベント処理手段１０２は、当該「決定」を上記階層内処理手段１５２に転送する。
【００４２】
しかし本実施の形態においては、ユーザは、録画番組を検索することができるジャンル検索モードＢを起動することが目的であるので、「番組表」が報知されている間及び報知されてから所定時間経過するまでは「決定」と言ったり決定キー３０２を押下したりしない。
【００４３】
上記階層内処理手段１５２は、「番組表」を報知し終えてから所定時間経過すると、次に報知する項目があるかどうか判断する（図５、Ｓ５０８）。ここでは、「番組表」の次に報知する項目である「裏番組」があるので、上記階層内処理手段１５２は、「番組表」を報知し終えてから所定時間経過すると、「裏番組」を報知する（図５、Ｓ５０４）。
【００４４】
この時もユーザは、「決定」と言ったり決定キー３０２を押下したりしない。上記階層内処理手段１５２は、「裏番組」を報知し終えてから所定の時間経過すると、次に報知する項目があるかどうか判断する（図５、Ｓ５０５→Ｓ５０８）。ここでは「裏番組」の次に報知する項目である「ジャンル検索」があるので、上記階層内処理手段１５２は、次に「ジャンル検索」を報知する（図５、Ｓ５０４）。
【００４５】
ユーザは、例えば「ジャンル検索」が報知されている間に、「決定」とデジタルＴＶ１００に言う。
【００４６】
ユーザが発した「決定」は、上記音声変換手段１０１を介して上記イベント処理手段１０２に受信される。そして決定を受信すると、上記イベント処理手段１０２は、当該決定を上記階層内処理手段１５２に転送する（図５、Ｓ５３２）。
【００４７】
「ジャンル検索」が報知されている間及び報知されてから所定時間経過するまでに「決定」を受信すると、上記階層内処理手段１５２は、ジャンル検索モードＢがユーザにて指定されたと認識する（図５、Ｓ５０５）。上記階層内処理手段１５２は、上記階層移行手段１５１にジャンル検索モードＢが指定されたことを通知する。
【００４８】
上記通知をジャンル検索モードＢの起動指示として認識すると、上記階層移行手段１５１は、ジャンル検索モードＢを起動させる（図５、Ｓ５１１→Ｓ５１２）。
【００４９】
なお、上記のように「ジャンル検索」が報知されるまで「番組表」や「裏番組」が報知されるのが煩わしい場合、ユーザは、「番組表」や「裏番組」が報知されている時に、「次」と言ったり、リモコン３００の下方向の十字キー３０１を押下する。ユーザが発した「次」は上記音声変換手段１０１と上記イベント処理手段１０２を介して選択指示として上記階層内処理手段１５２に受信される。また下方向の十字キー３０１が押下された旨は、上記イベント処理手段１０２を介して選択指示として上記階層内処理手段１５２に受信される（図５、Ｓ５３３）。
【００５０】
上記選択指示を受信すると、上記階層内処理手段１５２は、現在報知している項目の報知を中止し、次に報知する項目があれば、当該項目を報知する（図５、Ｓ５０６→Ｓ５０８→Ｓ５０４）。
【００５１】
即ち、「番組表」が報知されているときは、「番組表」の報知が中止されて「裏番組」が報知され、「裏番組」が報知されているときは、「裏番組」の報知が中止されて、「ジャンル検索」が報知される。したがって、番組ナビモードＡが起動してから直ぐにユーザが「次」を二回言うことで、番組ナビモードＡが起動してから直ぐに「ジャンル検索」が報知される。
【００５２】
また仮に、音声ガイダンスで最後に報知される項目（インフォメーション）が報知されてから所定時間経過するまでに、ユーザが、「決定」と言ったり決定キー３０２を押下しない場合、上記階層内処理手段１５２は、次に報知する項目がないと判断して、項目の指定待ち状態となる（図５、Ｓ５０９）。
【００５３】
このように上記階層内処理手段１５２が待ち状態となった状態、即ち音声ガイダンスが最後まで報知された後に項目の指定を行う場合、ユーザは指定する項目の名称（本実施の形態では「ジャンル検索」）をデジタルＴＶ１００に言う。ユーザが発した「ジャンル検索」は、上記音声変換手段１０１にて電気信号に変換され上記イベント処理手段１０２に転送される。
【００５４】
上記イベント処理手段１０２は、上記音声変換手段１０１から「ジャンル検索」を受信すると、上記階層内処理手段１５２に「ジャンル検索」を転送する（図５、Ｓ５３４）。上記階層内処理手段１５２は、「ジャンル検索」を受信すると上記階層移行手段１５１にジャンル検索モードＢが指定されたことを通知する。
【００５５】
上記のようにジャンル検索モードＢが指定されたことの通知をジャンル検索モードＢの起動指示として受信すると、上記階層移行手段１５１は、図４に示すように番組ナビモードＡの下位階層となるジャンル検索モードＢを起動する（図５、Ｓ５１１→Ｓ５１２）。
【００５６】
ジャンル検索モードＢを起動すると、番組ナビモードＡの起動時と同じように、ユーザが視覚障害者である場合を考慮して、上記階層移行手段１５１は、直前に起動していた設定モードより下位階層の設定モードを起動したことを示す報知音をスピーカ１０４で報知する（図５、Ｓ５０３）。
【００５７】
なお、ジャンル検索モードＢが起動した場合のように所定階層の設定モードの起動中に下位階層の設定モードを起動したことと、番組ナビモードＡが起動した場合のように設定モードが起動していない状態から所定階層の設定モードが起動したことを報知音で区別できるように、これらの報知音の音量、周波数、音色、報知時間、リズム、メロディ音等を異なるようにするのが望ましい。例えば所定階層の設定モードの起動中に下位階層の設定モードを起動したことを示す報知音を「ピンポン」にし、設定モードが起動していない状態から所定階層の設定モードが起動したことを示す報知音を「ビーン」にする。
【００５８】
上記階層移行手段１５１は、上記報知音を報知すると、上記階層内処理手段１５２にジャンル検索モードＢの音声ガイダンスの報知を指示する。音声ガイダンスの報知の指示があると、上記階層内処理手段１５２は、図７に示すジャンル検索画面をモニタ１０３に表示する。
【００５９】
図７に示すようにジャンル検索画面には、ニュース・報道項目６０１、スポーツ項目６０２、教養・娯楽項目６０３、ドラマ項目６０４、音楽項目６０５、バラエティー項目６０６、映画項目６０７、アニメ・特撮項目６０８、その他項目６０９と、ポインタ６２１と、十字キー等３０１の操作部が表示され、ここでもユーザは次にすべきことを視覚情報のみから得ることができる。
【００６０】
さらに上記階層内処理手段１５２は、上記報知音に続いて、次に何を行うべきかを視覚障害者に認識してもらうための音声ガイダンスをスピーカ１０４から報知する（図５、Ｓ５０４）。
【００６１】
この音声ガイダンスとは、例えば「ジャンル検索モードＢが起動しました。項目を指定してください。」から始まり、ジャンル検索画面に表示される各項目の名称（ニュース・報道、スポーツ、教養・娯楽、ドラマ、音楽、バラエティー、映画、アニメ・特撮、その他）を順に報知するものである。
【００６２】
上記番組ナビ画面にてジャンル検索項目を指定したことと同様に、ユーザは、サッカーがスポーツに包含されるため、例えば上記音声ガイダンスの「スポーツ」が報知されている間及び報知から所定時間経過するまでに、デジタルＴＶ１００に向かって「決定」と言う。なお、「スポーツ」を指定するにあたって、ユーザは、上述のように音声ガイダンスが最後まで報知されて上記階層内処理手段１５２が待ち状態になってから、「スポーツ」とデジタルＴＶ１００に言ってもよい。またユーザは、上述のように、「次」や下方向の十字キー３０１を用いて、ニュース・報道の報知を途中で中止させて、「スポーツ」を早く報知させてもよい。
【００６３】
ユーザが発した「決定」は上記音声変換手段１０１を介して上記イベント処理手段１０２に受信される。上記イベント処理手段１０２は、音声変換手段１０１から決定を受信すると、当該決定を上記階層内処理手段１５２に転送する（図５、Ｓ５３２）。
【００６４】
決定を受信すると、上記階層内処理手段１５２は、スポーツのサブジャンルモードＣがユーザにて指定されたと認識する（図５、Ｓ５０５）。上記階層内処理手段１５２は、スポーツのサブジャンルモードＣが選択されたと認識すると、上記階層移行手段１５１にスポーツのサブジャンルモードＣが指定されたことを通知する。
【００６５】
そして、上記決定をスポーツのサブジャンルモードＣの起動指示として認識すると、上記階層移行手段１５１は、図４に示すジャンル検索モードＢの下位階層となるスポーツのサブジャンルモードＣを起動する（図５、Ｓ５１１→Ｓ５１２）。またユーザが視覚障害者である場合も考慮して、スポーツのサブジャンルモードＣを起動すると、上記階層移行手段１５１は、ジャンル検索モードＢよりも下位階層の設定モードを起動したことを示す報知音「ピンポン」をスピーカ１０４から報知する（図５、Ｓ５０３）。
【００６６】
上記階層移行手段１５１は、上記報知音を報知すると、上記階層内処理手段１５２にスポーツのサブジャンルモードＣの音声ガイダンスの報知を指示する。
【００６７】
音声ガイダンスの報知の指示があると、上記階層内処理手段１５２は、図８に示すスポーツのサブジャンルモードＣの画面をモニタ１０３に表示する。
【００６８】
図８に示すように当該画面には、すべて項目７０１、野球項目７０２、サッカー項目７０３、ゴルフ項目７０４、公営競技項目７０５と、その他項目７０６と、ポインタ７２１と、十字キー等３０１の操作部が表示され、ここでもユーザは次にすべきことを視覚情報のみから得ることができる。
【００６９】
さらにユーザが視覚障害者である場合も考慮して、上記階層内処理手段１５２は、次に何を行うべきかを視覚障害者に認識してもらうための音声ガイダンスをスピーカ１０４から報知する。
【００７０】
この音声ガイダンスとは、例えば「スポーツのサブジャンルモードが起動しました。項目を指定してください。」から始まり、スポーツ画面に表示される各項目の名称（すべて、野球、サッカー、ゴルフ、公営競技、その他）を順に報知するものである（図５、Ｓ５０４）。ここでサッカー番組を録画予約するために、例えばユーザは、「サッカー」が報知されている間に、デジタルＴＶ１００に向かって「決定」と言う。「決定」は、上記音声変換手段１０１にて電気信号に変換されて上記イベント処理手段１０２に転送される。
【００７１】
上記イベント処理手段１０２は、音声変換手段１０１から決定を受信すると、当該決定を上記階層内処理手段１５２に転送する（図５、Ｓ５３２）。上記階層内処理手段１５２は、上記階層移行手段１５１にサッカーモードが指定されたことを通知する。
【００７２】
上記通知をサッカーモードの起動指示として受信すると、上記階層移行手段１５１は、図４に示すスポーツのサブジャンルモードＣの下位階層となるサッカーモードを起動する（図５、Ｓ５１１→Ｓ５１２）。またユーザが視覚障害者である場合も考慮して、サッカーモードを起動すると、上記階層移行手段１５１は、スポーツのサブジャンルモードＣよりも下位階層の設定モードを起動したことを示す報知音「ピンポン」をスピーカ１０４から報知する（図５、Ｓ５０３）。
【００７３】
上記階層移行手段１５１は、上記報知音を報知すると、上記階層内処理手段１５２にサッカーモードの音声ガイダンスの報知を指示する。
【００７４】
音声ガイダンスの報知の指示があると、上記階層内処理手段１５２は、「サッカーモードが起動しました。サッカー番組検索中です。」という音声ガイダンスをスピーカ１０４から報知する。
【００７５】
そして、上記階層内処理手段１５２は、「サッカー」をサッカー番組の検索命令として認識し、上記ＥＰＧ記憶手段１０８に記憶されたＥＰＧの中から、番組名２０３にサッカーが含まれる番組を検索する。そして図９に示すように上記階層内処理手段１５２は、番組名２０３にサッカーが含まれる番組の放送日時２０２、番組名２０３、放送チャネル２０１が表示されるサッカー番組一覧画面をモニタ１０３に表示する。
【００７６】
ここでもユーザが視覚障害者である場合も考慮して、上記階層内処理手段１５２は、検索が終了したことを示す報知音をスピーカ１０４で報知し、モニタ１０３に表示された番組の放送日時２０２、番組名２０３、放送チャネル２０１を報知していく（図５、Ｓ５０４）。
【００７７】
ところで番組の検索にはある程度の時間がかかるため、ユーザが「サッカー」と言った時から検索が終了した旨を示す報知音が報知されるまで長時間かかることがある。そのため、ユーザは、デジタルＴＶ１００がフリーズしてしまったと勘違いしたり、「サッカー」がデジタルＴＶ１００に受信されなかったのではと不安になったりすることがある。
【００７８】
そこで上記階層内処理手段１５２は、上記サッカー番組の検索を開始すると、サッカー番組の検索実行状況を音や音声等で報知するようにしてもよい。例えば、サッカー番組を検索している間は「ただいまサッカー番組の検索中です」を音声で繰り返し報知したり、検索が進むにつれて報知音の周波数を高くしたり、低くしたり、音量を大きくしたり、小さくしたり、音色やメロディを変えたりする。
【００７９】
このようにサッカー番組の検索実行状況を報知することで、視覚障害者が上記のような勘違いしたり、不安になったりすることを防止することができる。もちろん上記階層内処理手段１５２は、サッカー番組の検索の場合だけでなく、どのような処理に対しても、実行状況を報知してもよい。
【００８０】
また、勘違いしたり、不安になったりすることを防止するために、上記のように検索実行状況を報知することに代えて、上記階層内処理手段１５２は、次のようなことを実行してもよい。
【００８１】
番組検索などの時間のかかる処理をする場合、「只今命令実行中です。しばらくお待ちください。」等の音声ガイダンスや命令実行中であることを示す報知音やメロディ音を必ず報知する。または、命令の実行開始から所定時間経過しても命令が完了できない場合、「もうしばらくお待ちください。」等の音声ガイダンスや命令実行中であることを示す報知音を必ず報知する。
【００８２】
視覚障害者は、上記のように上記階層内処理手段１５２にて所望のサッカー番組が報知されると、その時に「決定」と言う。「決定」は上記音声変換手段１０１にて電気信号に変換されて上記イベント処理手段１０２に転送される。
【００８３】
決定を受信すると、上記イベント処理手段１０２は、決定を上記階層内処理手段１５２に転送する（図５、Ｓ５３２）。上記階層内処理手段１５２は現在報知している番組が現在放送中の番組なのか、先の時間に放送する番組なのかを判断し、先の時間に放送する番組の場合は予約対象番組であると認識する。本実施の形態においては、サッカーモードにおいて指定できる対象番組は１つであるので、現在放送中の番組を選択した場合には、設定モードが終了しその番組が画面に映し出させる。また予約の対象番組の場合は、上記階層内処理手段１５２は、上記階層移行手段１５１に指定された録画の対象番組を通知する。
【００８４】
上記通知を予約モードの起動指示として受信すると、上記階層移行手段１５１は、番組の録画予約の詳細を設定する予約モードを起動する（図５、Ｓ５１１→Ｓ５１２）。またユーザが視覚障害者である場合も考慮して、予約モードを起動すると、上記階層移行手段１５１は、サッカーモードよりも下位階層の設定モードを起動したことを示す報知音「ピンポン」をスピーカ１０４から報知する（図５、Ｓ５０３）。この報知音により視覚障害者は、「決定」がデジタルＴＶ１００にて受信され、予約モードが起動されたことを認識する。
【００８５】
上記階層移行手段１５１は、上記報知音を報知すると、上記階層内処理手段１５２に予約モードの音声ガイダンスの報知を指示する。
【００８６】
音声ガイダンスの報知の指示があると、上記階層内処理手段１５２は、図１０に示す予約画面をモニタ１０３に表示する。この予約画面には、図１０に示すように録画方式を指定する項目９１０、記録媒体１１０を指定する項目９２０、予約するか否かを指定する項目９３０、ポインタ９２１、十字キー等３０１の操作部が表示され、予約画面においても、ユーザは次にすべきことを視覚情報のみから得ることができる。
【００８７】
さらに上記階層内処理手段１５２は、次に何を行うべきかを視覚障害者に認識してもらうために以下の音声ガイダンスをスピーカ１０４から報知する。
【００８８】
上記階層内処理手段１５２は、視聴予約を行うか録画予約を行うかをユーザに問い合わせるために「予約方式を選択してください。視聴予約にしますか。録画予約にしますか」という音声ガイダンスをスピーカ１０４から報知する（図５、Ｓ５０４）。視聴予約とは、録画をせずに、番組をモニタ１０３とスピーカ１０４にて再生することであり、録画予約とは番組を再生せずに録画のみを行うことである。
【００８９】
例えばユーザが「録画予約にしますか。」が報知されている間に、デジタルＴＶ１００に向かって「決定」と言うと、「決定」が上記音声変換手段１０１を介して上記イベント処理手段１０２にて受信される。上記イベント処理手段１０２は「決定」を受信すると、決定を上記階層内処理手段１５２に転送する（図５、Ｓ５３２）。
【００９０】
上記階層内処理手段１５２には、決定を受信すると、録画予約が指定されたことを認識する（図５、Ｓ５０５）。
【００９１】
予約モードにおいては、指定可能な項目として、予約方式以外にも、記録媒体１１０の指定や、予約を登録するか否かの指定がある。そのため、上記階層内処理手段１５２は、録画予約が指定されたことを認識すると、「記録媒体を指定してください。ハードディスク、ＤＶＨＳ、ＤＶＤ」という音声ガイダンスを報知する（図５、Ｓ５０４）。
【００９２】
例えばユーザが「ＤＶＤ」が報知されている間に、デジタルＴＶ１００に向かって「決定」と言う。すると、「決定」が上記音声変換手段１０１を介して上記イベント処理手段１０２にて受信される。上記イベント処理手段１０２は「決定」を受信すると、決定を上記階層内処理手段１５２に転送する（図５、Ｓ５３２）。
【００９３】
上記階層内処理手段１５２には、決定を受信すると、ＤＶＤが指定されたことを認識する（図５、Ｓ５０５）。さらに上記階層内処理手段１５２は、「予約を登録するか否かを指定してください。予約しない、予約する」という音声ガイダンスを報知する（図５、Ｓ５０４）。
【００９４】
例えばユーザが「予約する」が報知されている間に、デジタルＴＶ１００に向かって「決定」と言うと、「決定」が上記音声変換手段１０１を介して上記イベント処理手段１０２にて受信される。上記イベント処理手段１０２は、決定を受信すると、決定を上記階層内処理手段１５２に転送する（図５、Ｓ５３２）。上記階層内処理手段１５２には、決定を受信すると、サッカーモードにおいて指定されたサッカー番組の予約が登録されたことを認識する（図５、Ｓ５０５）。
【００９５】
上記階層内処理手段１５２は、予約の登録されたことを認識すると、録画再生手段１５３にサッカーモードにおいて選択されたサッカー番組の放送時間、放送日時、予約モードにおいて指定された予約方式、記録媒体を登録する。
【００９６】
この登録に基づいて、上記録画再生手段１５３は、ユーザが指定したサッカー番組を、登録された記録媒体に録画する。
【００９７】
上記のように「予約する」が報知されている間にユーザが「決定」といった時点で、予約モードにおいて指定可能な項目が全て指定されたことになるので、上記階層内処理手段１５２は、上記録画再生手段１５３にサッカー番組の放送日時等を登録すると共に、スピーカ１０４から録画予約の設定が完了したことを示す報知音や「録画予約の設定が完了しました」等の音声を報知する。そして、上記階層内処理手段１５２は、上記階層移行手段１５１に予約完了の登録があったことの通知を受信すると、サッカー番組一覧画面に戻る。これによりユーザは別番組の予約を行ったり、他のジャンルの番組を探すなどの操作を引き続き行うことができる。
【００９８】
上記階層移行手段１５１は、予約完了の登録があったことの通知を設定モードの終了指示として受信すると、上記設定モードを終了する（図５、Ｓ５１１→Ｓ５１３）。設定モードを終了すると同時に、上記階層移行手段１５１は、設定モードを終了したことを示す報知音を報知する。上記階層移行手段１５１は、当該報知音に続いて、「設定モードが終了しました。」という音声ガイダンスを報知してもよい。
【００９９】
なお、設定モードを終了したことと、番組ナビモードＡが起動した場合のように設定モードが起動していない状態から設定モードが起動したことを報知音で区別できるように、これらの報知音の音量、周波数、音色、報知時間、リズム、メロディ音等を異なるようにするのが望ましい。
【０１００】
このようにスピーカ１０４から、デジタルＴＶ１００の状態や、次に何をすべきかが報知音や音声ガイダンスで報知されることで、ユーザが視覚障害者であっても、操作に迷うことがなくなる。
【０１０１】
なお、ユーザが設定モードの指定を誤ることもあるので、設定モードの指定をやり直すことができるように、上記階層移行手段１５１は、ユーザの指示によって、現在起動中の設定モードより１つ上位階層の設定モードを起動することができる、またはその操作自体をキャンセルさせて、操作を行った時点の階層に戻ることができる。「戻る」の操作を行うために、ユーザは、リモコン３００の「もどる」ボタン３０５を押すか、「もどる」と音声入力すればよい。１つ上の階層に戻るか、１つ前の操作に戻るかどちらにするかを、ユーザが選択できる機能を機器は有する。音声入力する言葉として、「もどる」以外にも「取り消し」、「キャンセル」などユーザのイメージに合う言葉に対しても機器が受け付けるようにしておく、また戻るボタンと同じ役割を持たせるための言葉をユーザが登録できるようになっている。
【０１０２】
例えば、サッカー番組の録画予約をする場合に、図８に示す画面においてユーザが野球項目７０２を選択すると、野球モードが起動され、「野球モードが起動しました。野球番組検索中です。」という音声ガイダンスが報知される。
【０１０３】
上記音声ガイダンスによって、ユーザは、自分が誤って野球項目７０２を選択したことを認識すると、デジタルＴＶ１００に向かって例えば「戻る」と言う。「戻る」は上記音声変換手段１０１を介して上記イベント処理手段１０２に転送される。
【０１０４】
上記イベント処理手段１０２は「戻る」を上記音声変換手段１０１から受信すると、「戻る」を受信したことを上記階層移行手段１５１に転送する。
【０１０５】
「戻る」を受信したことが上記イベント処理手段１０２から転送されると、上記階層移行手段１５１は、例え野球番組の検索実行中であっても、上記野球モードの１つ上位階層のスポーツのサブジャンルモードＣを起動させる。
【０１０６】
そして、上記階層移行手段１５１は、上記と同様に１つ上位階層の設定モードを起動させたことを示す報知音を報知する。さらに、上記階層移行手段１５１は、上記階層内処理手段１５２にスポーツのサブジャンルモードＣの音声ガイダンスの報知を指示する。また例えば番組ナビモードでユーザが「野球」と音声入力すると、ショートカット機能が働き直接野球番組の検索が実行される。検索実行中であってもユーザがもどるボタン３０５又は「もどる」と音声入力することで、「野球」という項目選択操作自体をキャンセルし、操作を行った時点の階層、つまり番組ナビモード画面に戻ることができる。これによりユーザは階層構造のしくみを理解していなくても、音声入力を使うことで操作のやり直しをダイレクトに行うことができ、操作手順も少なくてすむ。
【０１０７】
音声ガイダンスの報知の指示があると、上記階層内処理手段１５２は、スポーツ画面を表示して、「スポーツのサブジャンルモードが起動しました。項目を指定してください。すべて。野球。サッカー。ゴルフ。公営競技。その他。」という音声ガイダンスをスピーカ１０４を用いて報知する。
【０１０８】
これによりユーザは、サッカー項目７０３を選択することができる。
【０１０９】
なお、直前まで起動していた設定モードに対して上位階層の設定モードを起動したことと、下位階層の設定モードを起動したこととを報知音で区別できるように、これらの報知音の音量、周波数、音色、時間、リズム、メロディ等は異なるようにしてもよい。
【０１１０】
また、「戻る」を受信した場合、上記階層移行手段１５１が起動する設定モードは現在起動しているモードより１つ上位階層の設定モードに限らず、複数階層上位の設定モードであってもよい。例えば、どの階層の設定モードが起動されていても、「戻る」を上記イベント処理手段１０２が受信すると、上記階層移行手段１５１は、設定モードの最上位階層の番組ナビモードＡを起動するようにしてもよい。
【０１１１】
このように、複数階層上位の設定モードを起動する場合、上記階層移行手段１５１は、何階層上位の設定モードを起動したかをユーザに知らせるための報知音を報知する。例えば、上記階層移行手段１５１は、直前まで起動していた設定モードと新たに起動させた設定モードの階層数との差と同じ回数報知音を報知する。
【０１１２】
なお、上記では「戻る」を音声でデジタルＴＶ１００に入力する場合について説明したが、例えばリモコン３００のもどるボタン３０５が押下されると、上記階層移行手段１５１は、１つ上位階層の設定モードを起動するようにしてもよい。
【０１１３】
また、「戻る」に代えて、ユーザが起動したい設定モードを言うと、上記階層移行手段１５１は、当該設定モードを起動してもよい。この場合、ユーザは現在起動中の設定モードより上位階層の設定モードだけでなく下位階層の設定モードを言ってもよい。例えば番組ナビモードＡが起動しているときに、ユーザが「サッカー」というと、上記階層移行手段１５１は、サッカーモードを起動させる。図４に示すようにサッカーモードは番組ナビモードＡより３階層下位の設定モードであるので、上記階層移行手段１５１はサッカーモードを起動すると、下位階層の設定モードが起動したことを示す報知音を３回報知する。
【０１１４】
但し、このようにユーザが言った設定モードが起動される場合、名称の似た設定モードが複数あると、ユーザのいい間違いや、音声変換手段１０１の変換ミスにより、ユーザが意図していない設定モードが起動することがある。例えばスポーツのサブジャンルモードＣの下位階層にサッカーモードがあり、予約一覧モードの下位階層にサッカー番組一覧モードがあるとする。この場合、スポーツのサブジャンルモードＣが起動しているときに、ユーザはサッカー番組を検索するつもりで「サッカー番組一覧」という場合が想定される。
【０１１５】
そうすると、ユーザの意図と違って、上記階層移行手段１５１は予約一覧モードの下位階層のサッカー番組一覧モードを起動する。このように現在起動中のジャンル検索モードＢ及びその下位階層の設定モードから構成される副設定モード以外の設定モードを起動する場合、上記階層移行手段１５１は、現在起動している設定モードと異なる副設定モードに属する設定モードが起動した旨を上記階層内処理手段１５２に通知する。
【０１１６】
当該通知があった場合、上記階層内処理手段１５２は、異なる副設定モードに属する設定モードが起動されたことをユーザに確実に知らせるための報知を行う。例えば、「サッカー番組一覧が起動しました。予約されたサッカー番組を検索しています」という音声ガイダンスの音の周波数を通常の音声ガイダンスよりも高くしたり、低くしたり、音量を大きくしたりする。
【０１１７】
これにより、ユーザは意図していない設定モードが起動されたことを確実に認識することができる。このような場合、ユーザは、上記のように「戻る」をデジタルＴＶ１００に言って、設定モードの指定をし直す。
【０１１８】
また上記階層内処理手段１５２は、報知する音声ガイダンスにおいて、起動された設定モード名に加えて、当該設定モードの上位階層の設定モードの名称、略称等の上位階層の設定モードを特定する音または音声ガイダンスを報知するようにしてもよい。例えば、上記階層内処理手段１５２は、サッカーモードが起動された場合、「スポーツのサブジャンルモードのサッカーモードが起動しました。…」という音声ガイダンスを報知し、サッカー番組一覧モードが起動された場合、「予約一覧モードのサッカー番組一覧モードが起動しました。…」という音声ガイダンスを報知する。
【０１１９】
このように上位階層の設定モード名称等も合わせて報知することで、ユーザは意図していない設定モードが起動されたことを確実に認識することができる。
【０１２０】
なお、上記ではユーザは「番組ナビ」と言うことで番組ナビモードＡを起動させた場合について説明したが、ユーザは、リモコン３００のメニューキー３０３を用いて番組ナビモードＡを起動させて、録画予約の設定を行ってもよい。例えばモニタ１０３及びスピーカ１０４にてテレビ番組が再生されているときに、健常者が、サッカー番組の録画予約する場合、メニューキー３０３を押下する。メニューキー３０３が押下された旨は、リモコン３００から上記イベント処理手段１０２に送信される。
【０１２１】
上記イベント処理手段１０２はメニューキー３０３が押下された旨が送信されると、起動指示と共にユーザからの指示がリモコン３００から直接受信したことを階層移行手段１５１に転送する（図５、Ｓ５３１）。
【０１２２】
上記階層移行手段１５１は、起動指示が転送されると、上記番組ナビモードＡを起動させる（図５、Ｓ５０１）。しかし、上記階層移行手段１５１は、メニューキー３０３が押下されたことによって番組ナビモードＡを起動すると、上述のように報知音を報知しない。同様に上記階層内処理手段１５２も音声ガイダンスを報知せずに、ユーザから番組ナビ画面に表示された項目が指定されるのを待つ待ち状態となる（図５、Ｓ５０２→Ｓ５２１）。これはメニューキー３０３を用いて番組ナビモードＡを起動させるのは通常は健常者であり、健常者は、報知音や音声ガイダンスが報知されなくても、画面を見ることで自分が何をすべきかを認識することができるためである。
【０１２３】
番組ナビ画面が表示されると、ユーザは、ポインタ５２１を移動させるために、リモコン３００の所定方向の十字キー３０１を押下する。十字キー３０１が押下された旨は、リモコン３００から上記イベント処理手段１０２に送信される。上記イベント処理手段１０２は、受信した十字キー３０１が押下された旨を上記階層内処理手段１５２に転送する。上記階層内処理手段１５２は、転送された十字キー３０１が押下された旨に基づいて、現在ポインタ５２１が指す位置を把握する。そして階層内処理手段１５２は、把握した位置にポインタ５２１を表示する。
【０１２４】
ユーザは、所望の項目にポインタ５２１が移動すると、決定キー３０２を押下する。決定キー３０２が押下された旨は、リモコン３００から上記イベント処理手段１０２に送信される。リモコン３００から決定キー３０２が押下された旨が送信されると、上記イベント処理手段１０２は、決定キー３０２が押下された旨を上記階層内処理手段１５２に転送する（図５、Ｓ５３４）。
【０１２５】
上記イベント処理手段１０２から決定キー３０２が押下された旨が転送されると、上記階層内処理手段１５２は、上記階層移行手段１５１に、現在ポインタ５２１が指している項目をユーザが指定したことを通知する。上記階層移行手段１５１は、通知された項目に対応する設定モードを起動させる（図５、Ｓ５２２→Ｓ５２３→Ｓ５２４）。なお、予約モードにおいて、決定キーの押下によって「予約する」が指定された場合、上記階層移行手段１５１は、設定モードを終了する（図５、Ｓ５２２→Ｓ５２３→終了）。
【０１２６】
このようにメニューキー３０３で番組ナビモードＡを起動させた場合でも、十字キー３０１や決定ボタン３０２に代えて、起動させたい項目をデジタルＴＶ１００に言うことで、上記階層移行手段１５１が、当該項目に対応する設定モードを起動させてもよい。但し音声を用いて所定の設定モードを起動させた場合であっても、メニューキー３０３で番組ナビモードＡを起動させている場合は、上記階層移行手段１５１や上記階層内処理手段１５２は報知音や音声ガイダンスを報知しない。
【０１２７】
このように視覚障害者がメニューキー３０３を用いて番組ナビモードＡを起動させた場合、視覚障害者はポインタ５２１が指す項目を把握することができないので、上記階層内処理手段１５２は、ポインタ５２１が指している項目が変わると、音声でポインタ５２１が指す項目を報知するようにしてもよい。
【０１２８】
また、十字キー３０１に代えて、ユーザの音声でポインタ５２１の移動を行うようにしてもよい。例えば、上記階層内処理手段１５２は、番組ナビ画面起動時は、番組表項目５０１を指す位置にポインタ５２１を表示する。ユーザが「下」と言うと、当該「下」が上記音声変換手段１０１及びイベント処理手段１０２を介して、上記階層内処理手段１５２に受信される。下を受信すると、上記階層内処理手段１５２は、ポインタ５２１を番組表項目５０１の１つ下に表示された裏番組項目５０２に移動させるようにしてもよい。
【０１２９】
なお、視覚障害者であってもリモコン操作をする可能性が高いと想定される場合は、メニューキー３０３が押下されたことで番組ナビモードＡが起動した場合であっても、上記階層移行手段１５１や上記階層内処理手段１５２が、上記報知音や音声ガイダンスを報知してもよい。
【０１３０】
なお、上記リモコン３００に代えて、キーボード、点字キーボード、デジタルＴＶ１００に備えられたキーを十字キー３０１や決定キー３０２、メニューキー３０３、もどるキー３０５として用いてもよい。
【０１３１】
【発明の効果】
報知手段が、電子機器の状態等を音や音声を用いて報知することで、健常者だけでなく視覚障害者も電子機器の状況、操作手順の把握ができ自分の意図したとおりに作動しているかどうか認識することができるので、健常者だけでなく視覚障害者にとっての使い勝手のよい電子機器を提供することができる。したがって、ユニバーサルデザインの観点からもユーザビリティ性の高い電子機器を提供することができる。
【０１３２】
また、電子機器が自分の意図したとおりに作動しているかどうかを音や音声にて報知するので、視覚障害者だけでなく健常者も、画面を見なくても電子機器を操作することができる。
【図面の簡単な説明】。
【図１】本発明の電子機器のブロック図
【図２】ＥＰＧの概念図
【図３】リモコンの概略図
【図４】設定モードの概念図
【図５】録画予約の手順を示したフローチャート
【図６】番組ナビ画面の概略図
【図７】ジャンル検索画面の概略図
【図８】スポーツのサブジャンルの画面の概念図
【図９】検索された番組の一覧が表示された画面の概略図
【図１０】予約設定画面の概念図
【符号の説明】
１００    デジタルＴＶ
１０２    イベント処理手段
１０４    スピーカ
１０５    実行手段
【図１】
2004254006.tif 000003
【図２】
2004254006.tif 000004
【図３】
2004254006.tif 000005
【図４】
2004254006.tif 000006
【図５】
2004254006.tif 000007
【図６】
2004254006.tif 000008
【図７】
2004254006.tif 000009
【図８】
2004254006.tif 000010
【図９】
2004254006.tif 000011
【図１０】
2004254006.tif 000012